(57)【特許請求の範囲】
【請求項１】
少なくとも撮像素子と、該撮像素子上に被写体を結像させることができるズームレンズとを備えたビデオカメラであって、
前記ズームレンズは、選択的に上下動することができる赤外線遮光フィルターを備え、該赤外線遮光フィルターは、上下動用のホルダーと、該ホルダー内に収容された赤外線フィルターと、該赤外線フィルターを保持するキャップとからなり、
前記赤外線フィルターは、前記赤外線遮光フィルターの上下動方向に対して直交する方向から前記ホルダーに収容し、
前記上下動を操作する操作部を備え、前記操作部に連動するフィルター上下動部により前記ホルダーを上下させるようにした
ビデオカメラにおいて、
前記キャップは基端部とその両端側から同一方向に突出形成したバネ部材からなる略コの字状の形状をなし、該バネ部材の先端に互いに内側方向を向いた前記ホルダーの外側に係合する保持手段を設け、
前記キャップを前記赤外線遮光フィルターの上下動方向に対して直交する方向から前記ホルダーに取り付け、前記ホルダーの外側に設けられた係合部に前記保持手段を係合するように構成すると共に、
前記上下動部は、前記ホルダーの上下動係合部に嵌まり込んで上下動作させる係合凸部と、前記赤外線遮光フィルター全体を上方向又は下方向に付勢するバネ付勢部材とを設けたことを特徴とするビデオカメラ。
【請求項２】
前記ホルダーの外側にガイド部材を配設したことを特徴とする請求項１に記載のビデオカメラ。
【発明の詳細な説明】
【０００１】
【発明の属する技術分野】
本発明は、ビデオカメラに関し、特にズームレンズに配置した赤外線遮光フィルターの構造に関する。
【０００２】
【従来の技術】
ズームレンズを備えたビデオカメラ１１は、図５に示すように、少なくとも撮像素子１２と、この撮像素子（ＣＣＤ）１２上に被写体を結像させることができるズームレンズ１３とを備えた構成となっている。
【０００３】
ズームレンズ１３は、鏡筒１４内にレンズ系を形成し、光軸の位置又は光軸外の位置に選択的に上下動することができる赤外線遮光フィルター１５を備えた構成となっている。
【０００４】
鏡筒１４内レンズ系は、撮像方向から見て順に、同一光軸上に正の屈折力を有する第１レンズ群Ｉ、負の屈折力を有する可動な第２レンズ群II、正の屈折力を有する第３レンズ群III、正の屈折力を有する可動な第４レンズ群IVを備えた構造となっている。そして第３レンズ群IIIの直前位置に絞り機構１６を備えた構造になっており、又、赤外線遮光フィルター１７’は撮像素子１２の直前位置でもよい構造となっている。
【０００５】
赤外線遮光フィルター１５は、ビデオカメラ１１の操作部（ナイトショットオン／オフ）１７と連動して上下動する構造となっており、その具体的な構造は、図６に示すように、上下動用のホルダー２０と、このホルダー２０内に収容することができる四角形状の赤外線フィルター２１と、この赤外線フィルター２１をホルダー２０内に保持するキャップ２２とから構成されている。
【０００６】
ホルダー２０は、下部側を開口した開口部２３を有する四角形状に形成し、赤外線フィルター２１が収容できる大きさの支持枠２４と、この支持枠２４の開口部２３と反対方向の一角に連設し腕状に伸びた上下駆動係合部２５とから構成されている。この開口部２３には、キャップ２２の爪２６ａ、２６ｂと係合する係合部（図示せず）を設けた構造となっている。
【０００７】
キャップ２２は、両端部にモールドのバネ性を有し且つ自由端部に爪２６ａ、２６ｂを設けた係止部２７ａ、２７ｂを備えた構造となっている。
【０００８】
このような構成からなる赤外線遮光フィルター１５の組み立ては、先ずホルダー２０の下部開口部２３から赤外線フィルター２１を挿入する。挿入した赤外線フィルター２１の下部側からキャップ２２を嵌め込んで開口部２３の係合部に爪２６ａ、２６ｂを係合させワンタッチで係合係止して組み立ては完成する。
【０００９】
このようにして組み立てられた赤外線遮光フィルター１５は、図５に示すように、レンズ系の第３レンズ群IIIと第４レンズ群IVとの間であり第３レンズ群IIIに近接した位置に組み込まれ、光軸の位置と光軸外の位置とを上下動する。即ち、充分な光量な得られる時の可視光撮影（ナイトショットオフ）の場合は、光軸の位置に赤外線遮光フィルター１５を移動させて赤外線光を遮蔽して、撮像素子１２に赤外光線が到着しないようにする。一方、夕暮れや室内のように充分な光量が得られない時の赤外線光撮影（ナイトショットオン）の場合は、赤外線遮光フィルター２１を光軸外に移動させ、撮像素子１２に赤外線光が到着して赤外線光像を得ることができるようにしている。
【００１０】
【発明が解決しようとする課題】
しかしながら、上述した従来技術で説明した赤外線遮光フィルターは、上下動して赤外線の遮蔽を行うものであり、そのホルダーに収容されている赤外線フィルターを保持するキャップは、上下動する方向と同じ方向の下部側から嵌め込んであるため、上下動方向の力がキャップを外す方向に働き、上下動動作をしているうちにキャップが外れ易くなるという問題がある。
【００１１】
また、キャップのホルダーへの係合が内側から爪のみで保持されているため、挿入組み立て時に爪が変形した状態で組み立てられる場合があり、外力が加わると容易に外れ易いという問題がある。もし、キャップが外れると、赤外線フィルターまで外れるか、定位置からずれた状態となり、通常の赤外線遮蔽機能が阻害され撮像素子に正常な画面を結像することができなくなる。
【００１２】
従って、上下動する赤外線遮光フィルターにおいて、使用中に構成部材、特に赤外線フィルターを保持しているキャップが外れない構造又は外れにくい構造にすることに解決しなければならない課題を有する。
【００１３】
【課題を解決するための手段】
上記課題を解決するために、本願発明に係る（１）ビデオカメラは、少なくとも撮像素子と、該撮像素子上に被写体を結像させることができるズームレンズとを備えたビデオカメラであって、前記ズームレンズは、選択的に上下動することができる赤外線遮光フィルターを備え、該赤外線遮光フィルターは、上下動用のホルダーと、該ホルダー内に収容された赤外線フィルターと、該赤外線フィルターを保持するキャップとからなり、前記赤外線フィルターは、前記赤外線遮光フィルターの上下動方向に対して直交する方向から前記ホルダーに収容し、前記上下動を操作する操作部を備え、前記操作部に連動するフィルター上下動部により前記ホルダーを上下させるようにしたビデオカメラにおいて、
前記キャップは基端部とその両端側から同一方向に突出形成したバネ部材からなる略コの字状の形状をなし、該バネ部材の先端に互いに内側方向を向いた前記ホルダーの外側に係合する保持手段を設け、前記キャップを前記赤外線遮光フィルターの上下動方向に対して直交する方向から前記ホルダーに取り付け、前記ホルダーの外側に設けられた係合部に前記保持手段を係合するように構成すると共に、前記上下動部は、前記ホルダーの上下動係合部に嵌まり込んで上下動作させる係合凸部と、前記赤外線遮光フィルター全体を上方向又は下方向に付勢するバネ付勢部材とを設けたことである。
【００１４】
（２）前記ホルダーの外側にガイド部材を配設したことを特徴とする（１）に記載のビデオカメラ。
【００１５】
このようにして、赤外線遮光フィルターが動く上下動方向に対して直交する方向から赤外線フィルターを収容するようにしたことにより、赤外線遮光フィルターを上下動させても、赤外線フィルターを保持しているキャップが外れにくくなる。
【００１６】
又、ホルダーの外側にガイド部材を配設した構造にしたことにより、外部から衝撃が加わってもキャップが外れにくくなり、更に上述の上下動方向に対して直交する方向から赤外線フィルターを収容する構造にすると、上下動している時であっても又は外部からの衝撃が加わってもキャップが更に外れにくい構造とすることができる。
【００１７】
更に、キャップをホルダーの外側で係合保持するようにすると、挿入組み立て時に発生する撓み等が加わっても変形することなく、又、組み立て後において外力が加わってもキャップの係合保持している部分がより強く保持する方向に作用するため外れる心配はない。
【００１８】
【発明の実施の形態】
次に、本発明に係るビデオカメラの実施の形態について図面を参照して説明する。尚、ズームレンズ及びビデオカメラ全体の構造は、従来技術で説明した図５に示す構成と同じであるので同じものには同一符号を付けて説明する。
【００１９】
ビデオカメラ１１は、従来技術で説明した図５に示すように、少なくとも撮像素子１２と、この撮像素子１２上に被写体を結像させることができるズームレンズ１３とを備えている。このズームレンズ１３は、光軸の位置又は光軸外の位置に選択的に上下動することができる赤外線遮光フィルター１５Ａと、この赤外線遮光フィルター１５Ａを上下動する際のガイドをするガイド部材３５（図３参照）とを備えた構造となっている。このズームレンズ１３を構成する光学系及び赤外線遮光フィルター１５Ａの位置関係については、従来技術で説明したのでその説明は省略する。
【００２０】
赤外線遮光フィルター１５Ａは、図１及び図２に示すように、上下動用のホルダー２０Ａと、このホルダー２０Ａ内に収容することができる四角形状の赤外線フィルター２１と、この赤外線フィルター２１をホルダー２０Ａに保持するキャップ２２Ａとから構成されている。
【００２１】
ホルダー２０Ａは、上下動する方向と直交する方向の一方の側面側を開口とした側面側開口部２３Ａを有する四角形状に形成し、赤外線フィルター２１が収容できる大きさの支持枠２４Ａと、この開口部２３Ａと反対方向の一角に連設し腕状に伸びた上下駆動係合部２５Ａとから構成されている。
【００２２】
支持枠２４Ａの外側には、キャップ２２Ａを保持するための外側に突出させて形成した係合部２８ａ、２８ｂを設けた構造となっている。
【００２３】
キャップ２２Ａは、基端部２９の両端側から同一方向にモールドバネ性を持たせて突出形成したバネ部３０ａ、３０ｂを備え、そのバネ部３０ａ、３０ｂの先端に互いに内側方向に向いた凸状の爪３１ａ、３１ｂを備えた構造となっている。このバネ部３０ａ、３０ｂと爪３１ａ、３１ｂとで保持手段を構成し、ホルダー２０Ａの支持枠２４Ａの外側に突出させた係合部２８ａ、２８ｂに係合する。このように、ホルダー２０Ａに外側から係合保持するようにすると、充分なストローク、撓みを除去することが出来る寸法に設計の段階で考慮することができる。そのため、ホルダー２０Ａに赤外線フィルター２１を挿入して保持する際に捩じり等の外力が加わっても爪３１ａ、３１ｂ自体の変形を防止することができる。
【００２４】
このような構成からなる赤外線遮光フィルター１５Ａの組み立ては、先ずホルダー２０Ａの側面側開口部２３Ａから赤外線フィルター２１を挿入する。即ち、赤外線フィルター２１は赤外線遮光フィルター１５Ａが上下動する方向に対して直交する方向から支持枠２４Ａ内に収容することになる。そして、挿入した赤外線フィルター２１の側面側からキャップ２２Ａのバネ部３０ａ、３０ｂを支持枠２４Ａの外側に突出した係合部２８ａ、２８ｂにワンタッチで嵌め込んで組み立ては完成する。
【００２５】
一方、ホルダー２０Ａの外側に配設するガイド部材３５は、図３に示すように、ホルダー２０Ａが収まる大きさに形成され、その上部を開口した構造となっており、ホルダー２０Ａに装着したキャップ２２Ａの基端部２９の頂面がガイド部材３５の内壁面に近接した状態で上下動する構造となっている。従って、外部から衝撃が加わってもキャップ２２Ａの基端部２９の頂面がガイド部材３５の側壁内面に支持され且つ爪３１ａ、３１ｂがホルダー２０Ａの外側から保持しているため更に保持力が増し、ホルダー２０Ａから外れることがない。
【００２６】
このようにしてガイド部材３５を取付けて組み立てられた赤外線遮光フィルター１５Ａは、回動するレバー４０の動きによってガイド部材３５内部を上下動する。
【００２７】
レバー４０は、ビデオカメラ１１の操作部１７（図５参照）によって動作するものであり、回動の支点になる支軸４１と、ビデオカメラ１１の操作部１７に連動してある回動ノブ４２と、フィルター上下動部４３とから構成されている。
【００２８】
フィルター上下動部４３は、ホルダー２０Ａの上下駆動係合部２５Ａに嵌まり込んで上下動作をさせる係合凸部４４と、赤外線遮光フィルター１５Ａ全体を上方向又は下方向に付勢するネジリコイルバネ４５を組み付けるバネ付勢部材４６とを設けた構造となっている。
【００２９】
このような構造をしたレバー４０及び赤外線遮光フィルター１５Ａにおいて、先ず赤外線遮光フィルター１５Ａは、従来技術の図５で説明したように、レンズ系の第３レンズ群IIIと第４レンズ群IVとの間であり且つ第３レンズ群IIIに近接した位置に組み込まれ、光軸の位置と光軸外の位置とをレバー４０の操作によって上下動して選択する。
【００３０】
可視光撮影の場合は、図３に示すように、ビデオカメラ１１の操作部（ナイトショット）１７（図５参照）をオフにすると、レバー４０の回動ノブ４２が連動して上方向に動き、支軸４１を中心にしてフィルター上下動部４３が下方向に動き赤外線遮光フィルター１５Ａがガイド部材３５内を摺動して下方向に動く。そうすると、赤外線遮光フィルター１５Ａが光軸の位置に移動して光軸を通過する赤外線を遮蔽することにより、撮像素子１２（図５参照）に赤外線光線が到着しないようにする。
【００３１】
一方、赤外線光撮影の場合は、図４に示すように、ビデオカメラ１１の操作部（ナイトショット）１７（図５参照）をオンの状態にすると、レバー４０の回動ノブ４２が連動して下方向に動き、支軸４１を中心にしてフィルター上下動部４３が上方向に動き赤外線遮光フィルター１５Ａがガイド部材３５内を摺動して上方向に動く。そうすると、赤外線遮光フィルター１５Ａが光軸外の位置に移動して光軸を通過する赤外線を通過させることにより、撮像素子１２（図５参照）に赤外線光像が得られる。
【００３２】
このように、ナイトショットオン／オフの切換え毎に上下動する赤外線遮光フィルター１５Ａであってもホルダー２０Ａ内に収容する赤外線フィルター２１は上下動方向に対して直交する横方向からホルダー２０Ａ内に収容されキャップ２２Ａで保持されているため、上下動方向の力はキャップ２２Ａが保持する力に直接作用しないからキャップ２２Ａは容易に外れない構造となっている。又、外部からの衝撃が加わっても、ガイド部材３５によりキャップ２２Ａの保持力を維持することができるため容易に外れない。
【００３３】
【発明の効果】
以上説明したように、本発明に係るズームレンズは赤外線遮蔽フィルターが上下動するのに対して直交方向から赤外線フィルターを収容するようにしたことによって、赤外線遮蔽フィルターが上下動しても赤外線フィルターを保持しているキャップが外れずらい構造とすることができ、落下等の外部衝撃が加わっても容易に外れることがないという効果がある。
【００３４】
又、ホルダーの外側にガイド部材を配設した構造にしたことにより、落下等の衝撃が加わってもキャップがガイド部材に支持されることにより容易に外れることがないという効果がある。
【００３５】
更に、ビデオカメラに備えたズームレンズの赤外線遮蔽フィルターが上下動するのに対して直交方向から赤外線フィルターを収容したことにより、ビデオカメラの赤外線フィルターの遮蔽動作を行う操作をした時に、赤外線遮蔽フィルターが上下動しても赤外線フィルターを係合係止しているキャップが外れずらい構造となるため、落下等の外部衝撃がビデオカメラに加わってもキャップが容易に外れることがないという効果がある。
【図面の簡単な説明】
【図１】本発明に係るズームレンズ内に配置されている赤外線遮蔽フィルターの分解平面図である。
【図２】同組み立てた赤外線遮蔽フィルターの平面図である。
【図３】同赤外線遮蔽フィルターがオンの時の平面図である。
【図４】同赤外線遮蔽フィルターがオフの時の平面図である。
【図５】ズームレンズを備えたビデオカメラの略示的な全体図である。
【図６】従来技術における赤外線遮蔽フィルターの構成部品を分解した平面図である。
【符号の説明】
１１；ビデオカメラ、１２；撮像素子（ＣＣＤ）、１３；ズームレンズ、１４；鏡筒、１５；赤外線遮蔽フィルター、１５Ａ；赤外線遮蔽フィルター、１６；絞り機構、１７；操作部（ナイトショットオン／オフ）、２０；ホルダー、２０Ａ；ホルダー、２１；赤外線フィルター、２２；キャップ、２２Ａ；キャップ、２３；開口部、２３Ａ；開口部、２４；支持枠、２４Ａ；支持枠、２５；上下駆動係合部、２６ａ；爪、２６ｂ；爪、２７ａ；係止部、２７ｂ；係止部、２８ａ；係合部、２８ｂ；係合部、２９；基端部、３０ａ；バネ部、３０ｂ；バネ部、３１ａ；爪、３１ｂ；爪、４０；レバー、４１；支軸、４２；回動ノブ、４３；フィルター上下動部、４４；係合凸部、４５；ネジリコイルバネ、４６；バネ付勢部材
【図１】
0004250818.tif 000002
【図２】
0004250818.tif 000003
【図３】
0004250818.tif 000004
【図４】
0004250818.tif 000005
【図５】
0004250818.tif 000006
【図６】
0004250818.tif 000007